(57)【要約】特定の実施形態は、ノイズ妨害機能を達成するように能動的な及び／又は受動的な残響音を使用する音響壁アセンブリ、及び／又はこれを製造及び／又は使用する方法に関する。能動的な手法として、与えられた周波数範囲内の音波は、サウンドマスキング回路によって検出される。このような音波の検出に応答して、エアポンプ（例えば、スピーカー）は、残響などを介して検出された音波を能動的にマスキングするよう、壁アセンブリ内に空気をポンプするように使用される。壁アセンブリは、１つ、２つ、又はそれ以上の壁を含み、壁は、部分的又は完全な壁（ｆｕｌｌ  ｗａｌｌｓ）であってもよい。受動的な手法として、音波は、壁自体の上及び／又は中に形成される特徴（例えば、ホール、スリットなど）により妨害される。このような技術は、他の例示的な実施形態において共に又は各々用いられてもよい。
2019512727.tif 000002
【特許請求の範囲】
【請求項１】
互いに実質的に平行な内壁及び外壁であって、その間にはギャップが定義された、内壁及び外壁と
エアポンプと、
予め決定された周波数範囲内の音波を検出し、予め決定された周波数範囲内の音波の検出に応答して、検出される音波をそれが前記外壁外側から前記内壁内側に通過するとき能動的にマスキングするよう、前記ギャップ内に空気をポンプする前記エアポンプを制御するように構成されるサウンドマスキング回路と、
を備える音響壁アセンブリ。
【請求項２】
前記内壁及び外壁はガラス壁である、請求項１に記載の音響壁アセンブリ。
【請求項３】
前記エアポンプは前記ギャップ内に位置する、請求項１又は請求項２に記載の音響壁アセンブリ。
【請求項４】
前記エアポンプはスピーカーである、請求項１〜請求項３のいずれか一項に記載の音響壁アセンブリ。
【請求項５】
前記ギャップ内に位置するマイクロフォンをさらに備える請求項１〜請求項４のいずれか一項に記載の音響壁アセンブリ。
【請求項６】
能動的な音響マスキングは逆マスキングを用いて行われる、請求項１〜請求項５のいずれか一項に記載の音響壁アセンブリ。
【請求項７】
能動的なマスキングは残響を用いて行われる、請求項１〜請求項６のいずれか一項に記載の音響壁アセンブリ。
【請求項８】
前記サウンドマスキング回路は、（ａ）アルゴリズムにより前記予め決定された周波数範囲内で検出された音波を処理し、（ｂ）前記アルゴリズムからの算出により前記検出された音波を能動的にマスキングするよう、前記ギャップ内の空気をポンプする前記エアポンプを制御するように構成されるコントローラを備える、請求項１〜請求項７のいずれか一項に記載の音響壁アセンブリ。
【請求項９】
前記アルゴリズムは、標準コンボリューション、強化されたコンボリューション、逆残響及び遅延制御された残響で構成する群から選択される残響アルゴリズムである、請求項８に記載の音響壁アセンブリ。
【請求項１０】
前記予め決定された周波数範囲は、不快感、妨害、又は音響心理学的に妨害されるように決定される音声及び／又はノイズに対応する、請求項１に記載の音響壁アセンブリ。
【請求項１１】
前記ギャップ内に埋め込まれる第１マイクロフォンと前記音響壁アセンブリの外側主表面上に設けられる第２マイクロフォンをさらに備える請求項１〜請求項１０のいずれか一項に記載の音響壁アセンブリ。
【請求項１２】
前記内壁及び／又は外壁内に形成される少なくとも１つの開口をさらに備え、前記少なくとも１つの開口は、前記音響壁アセンブリの内部及び外部主表面に関して方向性のあるように発生した残響を引き起こす、請求項１〜請求項１１のいずれか一項に記載の音響壁アセンブリ。
【請求項１３】
前記内壁及び外壁は部分的な高さの壁である、請求項１〜請求項１２のいずれか一項に記載の音響壁アセンブリ。
【請求項１４】
前記予め決定された周波数範囲は２８〜３２００Ｈｚである、請求項１〜請求項１３のいずれか一項に記載の音響壁アセンブリ。
【請求項１５】
前記壁は１２５Ｈｚで０．０３〜０．３、２５０Ｈｚで０．０３〜０．６、５００Ｈｚで０．０３〜０．６Ｈｚ、１０００Ｈｚで０．０３〜０．９、２０００Ｈｚで０．０２〜０．９、及び４０００Ｈｚで０．０２〜０．８の範囲である吸音係数を有する、請求項１〜請求項１４のいずれか一項に記載の音響壁アセンブリ。
【請求項１６】
互いに実質的に平行な内壁及び外壁であって、その間にはギャップが定義される、内壁及び外壁と、
音を感知するレシーバーと、
前記ギャップ内に音波を発生させるように制御可能なポンプと、
前記レシーバーと前記ポンプに動作するよう結合される制御回路と、
を備え、
前記制御回路は、予め決定された周波数範囲内のノイズを、残響効果を介して妨害し、または、音響壁アセンブリを通過するようにギャップ内に圧力波動を選択的に発生させる前記ポンプを制御し、レシーバーから受信される信号を処理するように構成される、音響壁アセンブリ。
【請求項１７】
前記内壁及び外壁はガラスを備える請求項１６に記載の音響壁アセンブリ。
【請求項１８】
前記予め決定された周波数範囲は２８〜３２００Ｈｚである、請求項１６又は１７に記載の音響壁アセンブリ。
【請求項１９】
ノイズマスキング特性を有する音響壁アセンブリを提供するように壁を改良するためのキットにおいて、
前記壁は、内部及び外部直立部材を含み、
前記キットは、
音に敏感なレシーバーと、
前記内部及び外部直立部材の間に圧力波動を発生させるように制御可能なポンプと、
前記レシーバーと前記ポンプに動作するように接続可能な制御回路と、
を備え、
前記制御回路は、予め決定された周波数範囲内のノイズを、残響効果を介して妨害し、または、前記壁を通過する前記内部及び外部直立部材の間の圧力波動を選択的に発生させるように前記ポンプを制御し、前記レシーバーから受信される信号を処理するように構成される、キット。
【請求項２０】
内部直立部材及び外部直立部材を含む壁を有するステップと、
予め決定された周波数範囲内の音波を、サウンドマスキング回路を介して検出するステップと、
前記予め決定された周波数範囲内の音波の検出に応答して、前記検出された音波をそれが前記壁の前記外部直立部材の外側から前記壁の前記内部直立部材の内側に通過するとき、能動的にマスキングするよう、前記内部及び外部直立部材の間の空気をポンプするようにエアポンプを、前記サウンドマスキング回路を介して制御するステップと、
を備えるノイズ妨害方法。
【請求項２１】
前記エアポンプ及び／又は前記サウンドマスキング回路は、前記内部及び外部直立部材の間に定義されるギャップ内に埋め込まれる、請求項２０に記載の方法。
【請求項２２】
前記能動的な音響マスキングは逆マスキングを用いて行われる、請求項２０又は２１に記載の方法。
【請求項２３】
前記能動的なマスキングは残響を用いて行われる、請求項２０〜請求項２２のいずれか一項に記載の方法。
【請求項２４】
前記サウンドマスキング回路は、（ａ）アルゴリズムにより前記予め決定された周波数範囲内で検出された音波を処理し、（ｂ）前記アルゴリズムからの算出により前記検出された音波を能動的にマスキングするよう空気をポンプする前記エアポンプを制御するように構成されるコントローラをさらに備える、請求項２０〜請求項２３のいずれか一項に記載の方法。
【請求項２５】
第１マイクロフォンは前記内部及び外部直立部材の間に位置し、第２マイクロフォンは前記内部及び外部直立部材のうち１つの外側主表面上に設けられる、請求項２０〜請求項２４のいずれか一項に記載の方法。
【請求項２６】
内部及び外部直立部材を含む壁を有するステップと、
音を感知するレシーバーを提供するステップと、
前記内部及び外部直立部材の間の圧力波動を発生させるように制御可能なポンプを提供するステップと、
前記レシーバーと前記ポンプで制御回路を動作するように結合するステップと、
を含み、
前記制御回路は、予め決定された周波数範囲内のノイズを、残響効果を介して妨害し、または、前記壁を通過するように前記内部及び外部直立部材の間の圧力波動を選択的に発生させる前記ポンプ及び前記レシーバーから受信される信号を処理するように構成される、方法。
【発明の詳細な説明】
【技術分野】
【０００１】
本発明の特定の実施形態は、ノイズ妨害特性を有する音響壁アセンブリ及び／又はこれを製造及び／又は使用する方法に関する。より具体的には、本発明の特定の実施形態は、ノイズ妨害機能を達成するように能動的及び／又は受動的な残響音を使用する音響壁アセンブリ及び／又はこれを製造及び／又は使用する方法に関する。
【背景技術】
【０００２】
外部の音声を含む刺激的なノイズは、多くの場合、例えば、オフィス、家庭、図書館などを含む広範な設定において問題となることが多い。興味深いことに、人々は時々彼らが他人のために作り出す問題を知らないにも関わらず、彼ら自身が作るノイズを容認する傾向がある。
【０００３】
実際、不快な音が持続することによって誘発され得る有害な影響は多く知られている。このような有害な影響は、組織の生産性の損失（例えば、集中力維持の低下及び／又は中断）から、人々の医学的問題（例えば、耳障りな音、過敏性、心拍数の上昇などによる頭痛の発症）、及び新しい職場環境を模索するなどの衝動にまで達し得る。ミソフォニア（Ｍｉｓｏｐｈｏｎｉａ）は、音と不快なものとの関連性に関する学習された条件であり、時々発生する。一部の人は、音響過覚醒（ａｃｏｕｓｔｉｃ  ｈｙｐｅｒ−ｖｉｇｉｌａｎｃｅ）又は特定の音に対する過敏症に苦しんでいる。
【０００４】
多くの状況において、音の不快感は、音の大きさ、突発性、高音域、及び音声サウンドの場合、音声の内容に関連することが多い。多くの場合、特に音声やノイズには刺激又は妨害を与える特定の要素がある。音声内容に関して、人は何を話しているかを無意識のうちに発見して聞くために緊張する傾向があり、これは不快感を増加させる。すなわち、誰かが話していることを認識すると、しばしば無意識のうちに関与して、一種の潜在的な不快感が増大する。
【０００５】
人はしばしば高周波数（例えば、２，０００〜４，０００Ｈｚの範囲の音）に刺激される。これらの音は、大きな音と知覚されるために高強度である必要はない。これについて、図１は、周波数に対する音圧レベルをプロットした一定のレベルで知覚された人間の聴覚を示すグラフである。図示されるように、図１における「等ラウドネスサウンド曲線（ｅｑｕａｌ  ｌｏｕｄｎｅｓｓ  ｓｏｕｎｄ  ｃｕｒｖｅ）」は、一般に低音圧レベルを有する高周波音が知覚されることと、高音圧レベルを有する低周波音が同じ方式によって知覚されることを証明する。一般に、刺激の量はノイズ量に応じて増加する。
【０００６】
音波は、空気の圧縮と希薄化を交互に繰り返すことによって、主に縦方向に伝達される。波動が壁に当たったとき、分子の歪みは壁の外側に圧力を生成しながら、順に２次音を発する。
【０００７】
ノイズキャンセル特性を有する壁を設計することが好ましいことが理解される。一般に、材料がより多孔質であり、厚さが厚いほどより防音性が高い。ガラスは優れた音反射器であるが、優れた防音器ではない。したがって、ノイズキャンセル特性を有する透明な壁を設計することが好ましいものと理解されよう。
【０００８】
遮音窓は、従来より当該技術分野で知られている。１つの主流の手法として、壁の音響透過クラス（Ｓｏｕｎｄ  Ｔｒａｎｓｍｉｓｓｉｏｎ  Ｃｌａｓｓ；ＳＴＣ）を増加させるステップを含む。ＳＴＣは、壁が音をどの程度良好に減衰させるかの整数等級（ｉｎｔｅｇｅｒ  ｒａｔｉｎｇ）である。これは、人間の聴覚の範囲全体にわたって１６以上の周波数に重み付けされている。ＳＴＣは、例えば、音を破壊的に共鳴させるために二重窓のガラス壁の特定形状を使用することによって増加させることができる。また、積層されたガラスを使用及び／又はガラスの厚さを増加することで、単一又は二重窓壁のＳＴＣを増加させることができる。
【０００９】
しかしながら、これらの技術はコストがかかる。例えば、単一窓ガラスの厚さを増加させることはコストが追加される一方で、適度な音の低減を可能にする。より効果的ではあるが、二重窓ガラスの使用は、一般に少なくとも２つの比較的厚い（例えば、６〜１２．５ｍｍ）ガラスシートの使用を必要とする。これらの手法はまた、一般に壁の構造における高い公差と、隣接効果（ｆｌａｎｋｉｎｇ  ｅｆｆｅｃｔｓ）を回避するための特殊かつ柔軟な機械的接続の使用を必要とする。このような厚さのガラスは重く高価であり、高い設置コストがかかる。
【００１０】
また、二重窓の壁は、一般に低周波音に対して良好に作動する。これは、例えば、ジェットエンジンや自動車エンジンの低周波ノイズ、港湾や鉄道のノイズなどに対抗するための外壁への適用など、より少数の適用によってその効果を制限し得る。同時に、多くの音声サウンドは、１８００〜２４００Ｈｚの範囲内で音声認知及び不快感の両方の原因となる。したがって、例えば、刺激要素をブロックし、音声のプライバシーを高めるのを助けるために、このような高周波数の範囲でノイズキャンセルを達成することが好ましい。
【００１１】
高周波ノイズを低減する代わりに、サウンドマスキングに焦点を合わせたいくつかの解決策がある。例えば、様々な周波数の音をスピーカーで電気的に重ね合わせることにより、追加音が元のノイズの「上に」提供される。このような手法は刺激を不明瞭にするものの、残念なことに追加的なノイズを生成し、一部の人はそれ自体を刺激と感じる。
【００１２】
例えば、ボーズ社のヘッドホン（Ｂｏｓｅ  ｈｅａｄｐｈｏｎｅｓ）では、ノイズキャンセルを達成するための更なる手法が使用されている。このような手法は、入力ノイズを登録するステップと、登録された入力ノイズと位相がずれた相殺ノイズを生成するステップを含む。しかし、この概念の壁に対する１つの難点は、小さな領域上でしかうまく作動せず、主に連続的な音（例えば、エンジンのハム音）に適していることである。
【発明の概要】
【発明が解決しようとする課題】
【００１３】
したがって、上述された及び／又は他の問題の全て又は一部を克服する技術を提供することが好ましいと理解されよう。例えば、ユーザに刺激及び不快感を与える音を低減又は相殺する音響壁を提供することが好ましいことが理解されよう。
【課題を解決するための手段】
【００１４】
特定の実施形態に係る一態様は、上記で記述された及び／又は他の問題の全て又は一部を克服するための音響壁アセンブリに関する。
特定の実施形態の他の態様は、低ＳＴＣを有する光学的に透明な内部ガラスに関する。
【００１５】
特定の実施形態の更なる態様は、本明細書で説明された例示の壁アセンブリの内部に収容され、及び／又はそれによって形成される部屋の音響を改善することに関する。部屋の音響は、有利に、例えば、音声プライバシーを増加させ、外側ノイズ又は部屋の内部で知覚可能な刺激を不明瞭にし、逆監視（ｃｏｕｎｔｅｒ−ｓｕｒｖｅｉｌｌａｎｃｅ）特性を提供するなどによって改善され得る。
【００１６】
特定の例示的な実施形態において、音響壁アセンブリが提供される。内壁及び外壁は実質的に互いに平行であり、その間で定義されるギャップを有する。サウンドマスキング回路は、予め決定された周波数範囲内の音波を検出し、予め決定された周波数範囲内の音波の検出に反応し、外壁の外側から内壁の内側に検出された音波が通過するとき、検出された音波を能動的にマスキングするようにギャップ内に空気をポンプするエアポンプを制御するように構成される。
【００１７】
特定の例示的な実施形態において、音響壁アセンブリが提供される。内壁及び外壁は実質的に互いに平行であり、その間に定義されるギャップを有する。レシーバーは、音に敏感である。ポンプは、ギャップ内の圧縮波動を発生させるように制御可能である。制御回路は、レシーバーとポンプに動作可能に結合され、制御回路は、レシーバーから受信される信号を処理し、予め決定された周波数範囲内のノイズを、残響効果を介して妨害したり、さもなければ、音響壁アセンブリを通過するようにして、ギャップ内の圧力波動を選択的に発生させるポンプを制御するように構成される。
【００１８】
特定の例示的な実施形態において、ノイズマスキング特性を有する音響壁アセンブリを提供するよう、壁を新しく改良するためのキットが提供される。壁は、内部及び外部直立部材を含む。キットは、音に敏感なレシーバーと、内部及び外部直立部材の間に圧力波動を発生させるように制御可能なポンプと、ポンプとレシーバーに作動するように接続可能な制御回路を含み、制御回路は、予め決定された周波数範囲内のノイズを、残響効果を介して妨害したり、壁を通過するように内部及び外部直立部材の間の圧力波動を選択的に発生させるようにポンプを制御してレシーバーから受信される信号を処理するように構成される。
【００１９】
特定の例示的な実施形態において、ノイズを妨害する方法が提供される。壁は、内部及び外部直立部材を含む。予め決定された周波数範囲内の音波は、サウンドマスキング回路を介して検出される。予め決定された周波数範囲内にある音波の検出に応答して、エアポンプは、壁の外部直立部材から壁の内部直立部材に検出された音波が通過するときに検出された音波を能動的にマスキングするよう、内部及び外部直立部材の間の空気をポンプするサウンドマスキング回路を介して制御される。
【００２０】
特定の例示的な実施形態において、サウンドマスキング壁アセンブリ製造方法が提供される。壁は、内部及び外部直立部材を含む。音に敏感なレシーバーが提供される。内部及び外部直立部材の間に圧力波動を発生させるように制御可能なポンプが提供される。制御回路は、ポンプとレシーバーに動作するように結合され、制御回路は、予め決定された周波数内のノイズを、残響効果を介して妨害し、さもなければ、壁を通過するよう内部及び外部直立部材の間の圧力波動を選択的に発生させるポンプを制御してレシーバーで受信される信号を処理する。
【００２１】
本明細書に記載された特徴、態様、利点、及び例示的な実施形態は、更なる実施形態を実現するために組み合せわられる。
このような及び他の特徴及び利点は、図面に関して例示的な実施形態の以下の詳細な説明を参照することで、より良く、より完全に理解されることができる。
【図面の簡単な説明】
【００２２】
【図１】周波数に対して音圧レベルを区分して一定のレベルでの知覚された人間の聴覚を示すグラフである。
【図２】他の残響時間で発生するいくつかの例示を示す図であり、他の残響時間に適した例示的な適用を示すダイヤグラムである。
【図３】３つの異なる材料、すなわち、ガラス、ポリカーボネート及び乾式壁から製造された壁を有する様々な寸法の部屋内で算出されたＴ６０を示す。
【図４Ａ】残響が有し得る効果の例示を提供する。
【図４Ｂ】残響が有し得る効果の例示を提供する。
【図５】特定の実施形態に係るサウンドマスキングへの能動的な手法を使用する場合に生じるいくつかの利点をさらに確認する、ＳＴＣ対Ｔ６０を区分したグラフである。
【図６Ａ】特定の実施形態に係る能動的なノイズキャンセルの手法を具体化する音響壁アセンブリの概略図である。
【図６Ｂ】特定の実施形態に係る能動的なノイズキャンセルの手法を具体化する音響壁アセンブリの概略図である。
【図７】特定の実施形態に係る能動的なノイズキャンセルの手法を具体化する音響壁アセンブリの他の概略図である。
【図８Ａ】特定の実施形態に係る２つの壁と関連して使用可能な能動的なノイズキャンセルの手法を具体化する音響壁アセンブリの概略図である。
【図８Ｂ】特定の実施形態に係る２つの壁と関連して使用可能な能動的なノイズキャンセルの手法を具体化する音響壁アセンブリの概略図である。
【図９】特定の実施形態と関連して使用できる、能動的なノイズキャンセルのための例示的な手法を示すフローチャートである。
【図１０】特定の実施形態に係る受動的なノイズキャンセルの手法を具体化する音響壁アセンブリの概略図である。
【発明を実施するための形態】
【００２３】
特定の実施形態は、ノイズ妨害の特性を達成するよう能動的及び／又は受動的な残響音を使用する音響壁アセンブリ及び／又はこれを製造及び／又は使用する方法に関する。能動及び／又は受動方式に加えられる残響（Ｒｅｖｅｒｂｅｒａｔｉｏｎ）は、このような壁アセンブリを備えた部屋の外側から及び／又はこのような壁アセンブリを超えて発生する刺激的な音をマスキングするのに役立つ。このような手法は、例えば、特定の例示的な実施形態では、部屋の外側及び／又は壁アセンブリを超えて広がる音声を理解できないように知覚されるよう助けるステップを含む。
【００２４】
特定の実施形態は、音声プライバシー特性を有する低重量、低コストの解決策を有利に許容する低ＳＴＣを備える壁のノイズキャンセリング特性及び音声妨害特性を追加する。特に、特定の実施形態は、例えば、ノイズキャンセル及び／又は音声プライバシーをさらに改善するための手段として、高ＳＴＣ壁内で使用されてもよい。
【００２５】
残響は、時には普通の音低減とマスキング技術に比べて有利である。例えば、一部の例示として、残響は、音声又はノイズを妨げるために必要な音の大きさのみを追加する。いくつかの実施形態では、不要な追加ノイズは生成されない。残響は、また、特定の壁アセンブリ寸法及び／又は形状に限定されず、低周波数及び高周波数で同一に良好に作動でき、隣接損失（ｆｌａｎｋｉｎｇ  ｌｏｓｓｅｓ）の存在についても進行する（さもなければ、これは時々、例えば、フレーミング接続、電気コンセント、埋め込み式の照明、配管、管路などを介して入射経路に沿った構造を通過する音振動の結果として遮音を弱化させる）。残響は、また、有利に監視を防止する。ホワイトノイズによってマスキングされた音声は判読しやすい場合があり（例えば、信号から追加ノイズを除去することにより）、残響は、基本的に基準信号がない（例えば、基本的に自己参照される）ため、残響を解釈することが困難である。したがって、少なくともいくつかの場合の残響は、必要に応じて活性化することができ、そのボリュームは制御することができる。残響を使用することの更なる利点は、いわゆる「ビーティング（ｂｅａｔｉｎｇ）」を妨害する能力に関し、これは、２つの異なる音周波数によって構成される潜在的に刺激的な超低周波音（ｉｎｆｒａ−ｓｏｕｎｄ）である。たとえ、超低周波音はそれ自体では聞こえないが、それは潜在的な意識に影響を及ぼす。また、残響は、音を完全に除去したり覆い隠そうとしたりするものではないため、コストの観点から有利なこともある。実際のところ、残響は、時々ホワイトノイズの付加よりも少ないエネルギーを必要とする。
【００２６】
特に、音声に関しては、特定の実施形態が有効であり、音声を妨害することに関心のある以下の分野がある。音声とその調和音の基本周波数を妨害する。重なる音節と母音の主な音響信号（ｋｅｙ  ａｃｏｕｓｔｉｃ  ｃｕｅｓ）をマスキングする。脳波に残響を引き起こすサブ閾値周波数を有する人工的に生成された超低周波音を除去する（例えば、４〜６０Ｈｚの範囲内で、音声のエンベロープ変動は約４Ｈｚで同時に最大であり、これは１秒間に発音される音節数に対応する）。追加周波数を加えることによって周波数領域で音の妨害を提供する。残響を使用する時間領域で音の妨害を提供する。
【００２７】
残響時間Ｔ６０は、残響に関する１つの測定値である。これはその初期レベルから６０デシベル減少する音のために求められる時間を示す。他の目的を有する部屋は、異なる残響時間の利点を有する。図２は、異なる残響時間が発生することのいくつかの例示を有するダイヤグラムであり、異なる残響時間のために適切な例示的な適用を示す。一般に、極めて低い（例えば、残響が無い、又は少ない）Ｔ６０の値は音声サウンドを「静まり返った」ようにする傾向があり、高すぎる（例えば、多くの残響を提供する）Ｔ６０の値は、理解できない音声を作るように意図される。また、一般に、最適な残響時間は、音声と音楽の音量を豊かにする。
【００２８】
Ｔ６０は、セイビンの式（Ｓａｂｉｎｅ  ｆｏｒｍｕｌａ）に基づいて算出されてもよい。
【００２９】
【数１】
2019512727.tif 000003
このような式において、Ｖはボリュームであり、Ｓｅは部屋の組み合せわせた有効表面積である。各Ｓｅは物理的な面積に吸収係数を乗算して算出され、これは異なる材料に変更するテキストブック値である。次の表は、いくつかの一般的な内部建築材料の吸音係数を提供する。
【００３０】
【表１】
2019512727.tif 000004
図３は、３つの異なる材料、すなわち、ガラス、ポリカーボネート、及び乾式壁から製造された壁を有する可変寸法の部屋内で算出されたＴ６０を示す。
【００３１】
残響がもち得る効果の一例について図４Ａ〜図４Ｂを参照して示す。図４Ａは従来の音声パターンを示し、図４Ｂは残響が有し得る例示的な効果を示す。図４Ａ〜図４Ｂにおいて示すように、残響は、ボーカルエネルギーのクラスタであるフォルマント間の「スペース」を満たす（他の物の間）音声のアーティキュレーションを妨害する。このような音声構成単位（ｓｐｅｅｃｈ  ｂｕｉｌｄｉｎｇ  ｂｌｏｃｋｓ）（すなわち、母音及び特に子音）に信号を加え、フォルマント間の空間を妨害することは、音声を理解不能にし、音声の潜在的に有害な心理音響効果を低減するのに役立つ。
【００３２】
上記の表のように、特定の実施形態は、ノイズキャンセリングの役割を提供する残響を誘発するための能動的及び／又は受動的な手法を使用できる。以下の説明から明らかになるように、能動的な手法は、壁アセンブリなどに入射される音波を妨害する電子、電気機械及び／又は任意に制御可能な機械的装置を含み得る。受動的な手法は、例えば、このように形成された壁自体の本質的な特性を用いて壁アセンブリ内の穴の具体化及び／又はその中及び／又はその上の音を残響する構成要素の付着又は他の形成を通じて、残響を誘発するよう特別に設計された壁アセンブリを含み得る。
【００３３】
図３を再び参照すると、壁の残響は、主に低周波数範囲内で顕著であることが分かる。したがって、音声及び刺激的な音をマスクする高周波数範囲内の残響を用いるための能動的な手法を使用することが好ましい場合がある。図５は、特定の実施形態に係るサウンドマスキングで能動的な手法を使用する場合に生じるいくつかの利点をさらに確認するＳＴＣ対Ｔ６０を区分するグラフである。すなわち、図５に示すように、高ＳＴＣは、低Ｔ６０値で扱われるときに音声などを理解できないようにすることが好ましい場合がある。対照的に、電子的に生成される体制（ｒｅｇｉｍｅ）は、低ＳＴＣ値でも明瞭性を取り除くことを助ける。
【００３４】
図６Ａは、特定の実施形態に係る能動的なノイズキャンセルの手法を具体化する音響壁アセンブリの概略図である。図６Ａに示すように、壁６００は、外部及び内部主表面６００ａ，６００ｂを含む。図６Ａに示す実施形態において、受聴者６０４に対して音６０２によって引き起こされる妨害と不快感を減らすことが好ましい。したがって、マイクロフォン又は他の可聴装置６０６は、このような音をピックアップ又は受け入れ、信号は図６Ａのさらに広い壁アセンブリ内の壁６００に埋め込まれるか、さもなければ提供されるサウンドマスキング回路６０８を通過する。マイクロフォン６０６からの信号は、他の例示的な実施形態でアナログ又はデジタル信号であり、サウンドマスキング回路６０８は、例えば、提供されるアナログ信号がデジタル処理される場合、アナログ−デジタルコンバータを含み得る。特定の例示的な実施形態では、マイクロフォン６０６は壁６００の内部に設けられてもよい。
【００３５】
サウンドマスキング回路６０８は、マイクロフォン６０６から提供される信号が１つ以上の予め決定された周波数範囲内にあるか、及び／又はその中にある１つ以上の予め決定された周波数範囲を有するノイズを含むかを決定する。サウンドマスキング回路６０８の一部であるバンドパス又は他のフィルタはこれに関して使用されてもよい。１つ以上の予め決定される周波数範囲のうちの１つは、迷惑であるか、妨害的であるか、又は、音響心理的に妨害的であるか、のように決定された音声及び／又はノイズに対応してもよい。１つ以上の予め決定された周波数範囲のうちの１つは、２８〜３２００Ｈｚの範囲に対応し、これは多くの子音の音（統計的にサウンドマスキングの最も効果的な方法であり得る）と少なくともいくつかの音節の音をマスキングするのに役立つ。
【００３６】
１つ以上の予め決定された周波数範囲内で音波の検出に応答して、サウンドマスキング回路６０８は、例えば、予め決定された周波数範囲内のノイズを残響及び／又は他の効果を介して妨害し、さもなければ、壁を通過するよう圧力波動を発生させるエアポンプ６１０を活性化する。エアポンプ６１０は、スピーカー、ＨＶＡＣシステムのうち一部などであり得る。エアポンプ６１０は、外部及び内部主表面６００ａ，６００ｂの間の壁６００内に残響６１２を生成する。これは、検出される音波が、壁６００の外部主表面６００ａの外側から壁６００の内部主表面６００ｂの内側に通過するとき能動的にマスキングするのに役立ち、これによって受聴者６０４に引き起こす不快感を減少させ得る。すなわち、特定の実施形態において、残響６１２は、刺激的なノイズ及び／又は知覚される音声を妨害するのに役立つ。残響６１２は、エアポンプ６１０が加えられるノイズの点源（ｐｏｉｎｔ  ｓｏｕｒｃｅ）ではないため、特定の実施形態で壁６００の全体にわたって実質的に均一である。したがって、受聴者は、本質的に一定ではなく、潜在的に「オンデマンド（ｏｎ  ｄｅｍａｎｄ）」又は動的に壁６００内にノイズが隠されているため、基本的に壁６００を越えた任意の地点で同一なものを聞くことができる。有利なことに、このような効果は、レーザマイクロフォン（例）が離散音をピックアップできず、監視することを防ぎ、残響は自己参照的であり、これにより解読が困難になり、これは差し引き可能な（ｓｕｂｔｒａｃｔｅｄ）ホワイトノイズを追加しない効果がある。
【００３７】
残響に加えて、又は代えて、特定の実施形態は、逆マスキングによって能動的なマスキングを実現できる。サウンドマスキング回路６０８によって可能になるノイズマスキングは、例えば、標準コンボリューション、強化されたコンボリューション、逆残響、遅延制御された残響などのような技術を使用するアルゴリズム（例えば、残留アルゴリズム）により実行され得る。サウンドマスキング回路６０８は、特定の例示的な実施形態において、入力ノイズ６０２を処理し、アルゴリズムからの出力によってエアポンプ６１０を制御し得る。特定の例示的な実施形態において、アルゴリズムは、時間領域における入射ノイズの知覚される大きさを変化させ得る。
【００３８】
壁６００は、例えば、乾式壁、ガラス、ポリカーボネート、プラスター（ｐｌａｓｔｅｒ）などの１つ以上のシートのような任意の適切な材料から形成される。特定の例示的な実施形態において、壁又は材料は、１２５Ｈｚで０．０３〜０．３、２５０Ｈｚで０．０３〜０．６、５００Ｈｚで０．０３〜０．６Ｈｚ、１０００Ｈｚで０．０３〜０．９、２０００Ｈｚで０．０２〜０．９、及び４０００Ｈｚで０．０２〜０．８の範囲の吸音係数を有する壁を含む。これに関連して、図６Ａは、平面図又は断面図のいずれか１つとして考えられる。前者の場合（すなわち、平面図）、エアポンプ６１０及び／又はサウンドマスキング回路６０８は、壁６００の上に（例えば、天井、及び下部に例えば上部スラブ（ｓｌａｂ））又は壁６００の側面に設けられてもよい。特定の例示的な実施形態において、サウンドマスキング回路６０８は壁６００の側面に接続されるが、図面からは見えないように隠されてもよい（例えば、モールディングの後に隠されたり、天井の中に隠される）。マイクロフォン６０６についても同一であり得る。エアポンプ６１０は、その中又はその中の残響を誘発するように、空気を壁６００の側面及び／又は上面に押し付けることができる。
【００３９】
断面図に関連して、外部及び内部主表面６００ａ，６００ｂは、例えば、金属及び／又は木材スタッド（ｓｔｕｄｓ）などにより分離された個別の乾式壁表面であってもよい。エアポンプ６１０及び／又はサウンドマスキング回路６０８は、外部及び内部主表面６００ａ，６００ｂの間のギャップの内部、壁６００の側面又は壁６００上（例えば、天井及び下部、例えば上部スラブ）に設けられる。前記と同様に、サウンドマスキング回路６０８は、壁６００の側面に接続されているが、図面から隠されてもよい（例えば、外部及び内部主表面６００ａ，６００ｂの間のギャップの内部、モールディングの後に隠されたり、天井の中の背中に隠されることによって）。マイクロフォン６０６に対しても同一であり得る。エアポンプ６１０は、壁６００の外部及び内部主表面６００ａ，６００ｂの間のギャップの内部及び／又は、壁６００の側面及び／又は上部に空気を加えることができる。したがって、特定の例示的な実施形態において、壁６００は、その間に位置するサウンドマスキング回路６０８とエアポンプ６１０を備える、実質的に平行に離隔した第１及び第２基板（ガラスなどを含むかガラスである）を含むものと言える。
【００４０】
上述したように、壁はガラスであってもよく、又はガラスを含んでもよい。すなわち、特定の実施形態は、音響壁アセンブリに関連して使用されるガラス壁に関するものである。ガラス壁は、１枚、２枚、３枚又は別の数のガラスのシートを含み得る。ガラスは、規則的なフロート、熱強化、組み合わせられた及び／又は積層されたガラスであり得る。特定の例示的な実施形態において、壁は、絶縁ガラス（ＩＧ）ユニット、真空絶縁ガラス（ＶＩＧ）ユニットなどを含み得る。ＩＧユニットは、空気を有する又は空気のない不活性ガス（例えば、Ａｒ、Ｘｅなど）で選択的に満たされる基板間に空洞を備え、周縁エッジの周りに形成されるエッジシーリング部を備える、実質的に平行に離隔する第１及び第２基板を含んでもよい。ＶＩＧユニットは、大気圧未満の圧力で空になる基板間に空洞を備えるスペーサ及び、周縁エッジの周りに形成されるエッジシーリング部を備える実質に平行に離隔する第１及び第２基板を含んでもよい。いくつかの例示において、フレーミングは、ＩＧユニット及び／又はＶＩＧユニットの周辺に設けられ、そのフレーミングは、音響壁アセンブリの一部であってもよい。特定の例示的な実施形態において、他の透明な材料は使用されてもよい。特定の例示的な実施形態において、ガラスの本質的な高音反射係数は、例えば、残響及び／又は他のノイズマスキングの効果を誘発する場合に有利である。
【００４１】
図６Ｂは、入射ノイズ６０２ａ，６０２ｂが登録されて相殺され、そのため、壁６００の両側面上で受聴者６０４ａ，６０４ｂへの不快感を低減できるように、第１及び第２マイクロフォン６０６ａ，６０６ｂが設けられていることを除いた図６Ａと同様である。特定の例示的な実施形態において、同じエアポンプ６１０に対して残響６１２を発生させるように用いられてもよい。特定の例示的な実施形態において、サウンドマスキング回路６０８は、例えば、ノイズが壁６００のどの側面からくるかに基づいて、エアポンプ６１０に対して同一又は異なる動作を誘発することができる。これに関して、サウンドマスキング回路６０８は、例えば、強度などに基づいて音が壁６００のいずれかの側面からくるかを決定できる。残響６１２の有効性は、他のマイクロフォンによってピックアップされてもよく、例えば、ノイズキャンセリング効果を改善するよう、ノイズマスキング回路６０８内にフィードバックされてもよい。他の実施形態において、第１及び第２マイクロフォン６０６ａ，６０６ｂのいずれか１つ又は両方は、壁６００の内部又は外表面上に設けられてもよい。特定の例示的な実施形態において、第１及び第２マイクロフォン６０６ａ，６０６ｂのいずれか１つは壁６００の外表面上に形成されてもよく、第１及び第２マイクロフォン６０６ａ，６０６ｂのうちの他方は、壁６００の内面上に形成されてもよい。図６Ｂの例示において（いくつかの場合において、単一マイクロフォンに関する同一又は類似の機能が実現可能であることは理解できるが）、残響は「両方向」に能動的に作動できるものと言える。
【００４２】
図７は、特定の実施形態に係る能動的なノイズキャンセルの手法を具体化する音響壁アセンブリの他の概略図である。図７は、「静かな」又は「安全な」部屋の外側に形成される壁７００を示す。部屋内におけるノイズ７０２は、マイクロフォン６０６によって検出される。サウンドマスキング回路６０８は、マイクロフォン６０６から信号を受信してエアポンプ７１０を誘発し、これは壁７００内に残響７１２ａ〜７１２ｄを誘発する。残響７１２ａ〜７１２ｄは、実質的に特定の実施形態において、全体の壁７００にわたって均一であり、部屋の周辺（及び壁７００の周辺）の受聴者７０４ａ〜７０４ｄは、内部で音及び／又は不快感を知覚できないことがある。図７の例示が特定の実施形態において部屋の内側に１つ以上のマイクロフォンを含むように修正され得ることが理解されるであろう。加えて又は代替として、図７に示す例示は、例えば、図６Ｂを参照して説明したものと類似な方式で、部屋の外側から発する音を検出して相殺するように、１つ以上のマイクロフォンを含むように修正されてもよい。その配置に関わらず、部屋の外側から発する音を受容するよう設けられた１つ以上のマイクロフォンは、図７に戻って、外側からの音が相殺されてマスキングされる、個人的な又は静かな部屋に変える際に有効である。
【００４３】
図８Ａ及び図８Ｂは、特定の実施形態に係る２つの壁に関連して使用可能な能動的なノイズキャンセルの手法を具体化する音響壁アセンブリの概略図である。図８Ａ及び図８Ｂは、図６Ａ及び図６Ｂに類似する。しかし、単一壁の外部表面及び内部表面を有することなく、外壁及び内壁８００ａ，８００ｂが設けられている。ノイズマスキング回路６０８及び／又はポンプ６１０は、外壁及び内壁８００ａ，８００ｂによって定義される空洞８００内に配置され、それは空洞８００内に残響を生成するために協力し得る。
【００４４】
壁の横方向の寸法（ｗａｌｌ’ｓ  ｌａｔｅｒａｌ  ｄｉｍｅｎｓｉｏｎｓ）は、音声の基本スペクトル領域及びその低い調和音（ｔｈｅｉｒ  ｌｏｗｅｒ  ｈａｒｍｏｎｉｃｓ）に主として影響を及ぼす一方、壁の２つのシート間の距離は、主に高周波成分とその高い調和音（ｔｈｅｉｒ  ｈｉｇｈｅｒ  ｈａｒｍｏｎｉｃｓ）に影響を及ぼすものと考えられる。ガラス壁の例示的な実施形態は、３．０ｍ×３．７ｍ（１０フィート×１２フィート）の寸法を有し、好ましくは１〜２０ｃｍの範囲内、さらに好ましくは、７〜１７ｃｍの範囲内、及び一例として１０ｃｍの間隔（ｅｘａｍｐｌｅ  ｓｅｐａｒａｔｉｏｎ  ｏｆ  １０ｃｍ）のガラスの２枚のシート間の空隙を有する。
【００４５】
図９は、能動的なノイズキャンセルのための例示的な手法を示すフローチャートであり、特定の実施形態に関連して用いられる。図９は、壁又は壁アセンブリが予め設けられていることを仮定する（ステップＳ９０２）。入射音波を検出する（ステップＳ９０４）。もし、検出された音波が関心周波数範囲を含んでいないか、その中になければ（ステップＳ９０６で決定される場合）、過程は単にステップＳ９０４に戻って、他の入射音波が検出されるのを待機する。一方、検出された音波が関心周波数範囲を含んでいるか、その範囲内にあれば（ステップＳ９０６での決定結果）、空気は入射音波をマスキングするようにポンビングされる（ステップＳ９０８）。したがって、このような動作は、例えば、常にオンではないシステムを介してノイズの動的又は「オンデマンド」マスキングのために提供される。音が終了されなければ（ステップＳ９１０での決定結果）、その過程はステップＳ９０８に戻って他の空気をポンピングする。一方、音が鳴り止めば、入射に関する情報は記録され（ステップＳ９１２）、その過程はステップＳ９０４に戻り、他の入射音波が検出されることを待機する。
【００４６】
記録するステップＳ９１２は、例えば、非一時的なコンピュータで読み出し可能な格納媒体など（例えば、フラッシュメモリ、ＵＳＢドライブ、ＲＡＭなど）に格納されるデータファイルにおけるレコードの生成を含んでもよい。レコードは、イベントの開始及び停止時間を示すタイムスタンプだけではなく、位置識別機（例えば、本明細書で説明された技術を実現する多重壁の場合、例えば、音が検出される壁を特定すること、与えられた壁内の多重マイクロフォンがある場合に、例えば、音が検出されるマイクロフォン）を含んでもよい。検出される周波数範囲に関する情報はレコードにも格納されてもよい。特定の例示的な実施形態において、回路網は、検出された音のデジタル又は他の表現を、例えば、関連するデータファイル又はレコードに格納し得る。その結果、潜在的な後続分析のために達成され、キャプチャーされる全体的な会話（ｅｎｔｉｒｅ  ｃｏｎｖｅｒｓａｔｉｏｎｓ）で潜在的に音声又は他のノイズは記録され得る。例えば、サウンドマスキング回路（例）は、記録装置（例えば、セキュリティーカメラ、盗聴装置、音統計監視装置など）として用いられてもよい。特定の例示的な実施形態において、情報は、例えば、ノイズイベント及び／又は会話の再生、その分析（例えば、異なる種類のノイズが多く記録されたか、いつノイズが最も発生したか、最も多く記録されたノイズの種類は何か、など）のような、潜在的な後続アクションのために遠隔コンピュータターミナルなどに伝達されたり、局所に格納されてもよい。送信は、有線接続（例えば、シリアル、ＵＳＢ又は他のケーブルによる送信を含む）、無線（例えば、Ｗｉ−Ｆｉ（登録商標）、ブルートゥース（登録商標）、インターネットによるものなど）を介して物理的なメディア（フラッシュドライブ、ＵＳＢドライブなどの）を除去することにより達成される。情報は、他の例示的な実施形態においてオンデマンド及び／又は周期的に送信されてもよい。
【００４７】
特定の例示的な実施形態において、サウンドマスキング回路は、入射ノイズが既存のパターンやタイプに対応するかを決定するようプログラミングされてもよい。例えば、不快感、アラーム音、サイレンなどはサウンドマスキング回路によって検出され、安全、情報及び／又は他の目的のために壁アセンブリを通過することができる。
【００４８】
特定の例示的な実施形態において、サウンドマスキング回路は、サウンドスゥイートナー（ｓｏｕｎｄ  ｓｗｅｅｔｅｎｅｒ）とサウンドディスラプター（例えば、残響の使用による）の両方に動作するようプログラミングされてもよい。後者に関して、サウンドマスキング回路は、潜在的な不快なノイズをマスキングするために役立つ残響及び／又は心地よい音を発生させ得る。快適な音は、自然の音（例えば、海の音）、動物の音（例えば、イルカ）、落ち着いた音（ｓｏｏｔｈｉｎｇ  ｍｕｓｉｃ）などであり得る。このような音は、サウンドマスキング回路によってアクセス可能なデータ記憶装置に記憶されてもよい。適切な時（例えば、前述したように残響を誘発するとき）、サウンドマスキング回路は、サウンドスゥイートナーを検索し、スピーカーなど（例えば、特定の実施形態において、エアポンプとして使用されるような同一又は異なるスピーカー）の出力として提供できる。
【００４９】
他の例示的な実施形態は、音響壁アセンブリに対して多くの受動的な手法を用いる。例えば、受動的な手法は、音響コントラストを含む残響誘導共振器として壁自体を用いてもよい。これは、音響壁アセンブリ内に形成された１つ以上（好ましくは、２以上）の開口、スリットなどを有することによって達成され、これによって壁自体の本質的な特性を用いることで好ましいタイプの残響的な効果を生成することができる。その特徴は、壁アセンブリ方向特性（ｗａｌｌ  ａｓｓｅｍｂｌｙ  ｄｉｒｅｃｔｉｏｎａｌ  ｐｒｏｐｅｒｔｉｅｓ）の音響に加え、音響壁アセンブリの一側に形成されてもよい。例えば、少なくとも１つの開口は、効果を方向性があるようにするため、二重窓壁の外側の窓内に形成することができ、その結果、残響の効果は壁の外側でより顕著になる。他の例示として、少なくとも１つの開口は、二重窓壁の内側窓内に製造されてもよい。これは、ミュージックホール（ｍｕｓｉｃ  ｈａｌｌｓ）のようないくつかの用途にとって有利であり、これは音を豊にする追加的な残響音から有益である。
【００５０】
特定の例示的な実施形態において、追加的な残響要素を壁に取り付けることができる。サウンドマスキング残響誘導要素は、単一又は部分的な壁と直接接触して提供されてもよく、これにより、壁は、特定の実施形態で音源として働くことができる。特定の例示的な実施形態において、サウンドマスキング残響誘導要素は、壁アセンブリ内の壁の間に提供されてもよい。サウンドマスキングは、ノイズ／信号コントラストの増加をもたらし、単一又は部分的な壁の後で知覚される音声を理解しにくくし、刺激音をあまり不快でないようにすることに有利である。
【００５１】
特定の例示的な実施形態において、第１セットの特徴は、内部窓の中及び／又は上に形成してもよく、第２セットの特徴は外部窓の中及び／又は上に形成してもよく、例えば、不快感又は妨害のいくつかの音を維持し、「内側上」で音響を改善する。特定の例示的な実施形態において、特徴の多重セットは、各特徴のセットが除去及び／又は強調されるよう他の範囲をターゲットする、二重窓壁アセンブリ（ｔｗｏ−ｐａｎｅ  ｗａｌｌ  ａｓｓｅｍｂｌｙ）のうちの１つ又は両方の窓上及び／又は内に形成されてもよい。
【００５２】
壁アセンブリの他の本質的な特性（大きさ、隣接する直立壁の間の空間などを含む）は、例えば、前述したように好ましい残響効果を引き起こすよう選択されてもよい。
これによって受動的な技術は、上述した能動的な技術、例えば、単一又は二壁の音響壁アセンブリを加えて使用できるということが理解されよう。また、このような受動的な技術がそれ自体に使用されることが理解されよう。後者に関して、図１０は、特定の実施形態に係る受動的なノイズキャンセルの手法を実現する音響壁アセンブリ１０００の概略図である。
【００５３】
音響壁アセンブリ１０００は、外壁及び内壁１０００ａ，１０００ｂを含み、これはその間にギャップ又は空洞を定義する。ノイズ６０２は外壁１０００上に入射され、壁内に形成される一連の特徴は残響１０１２を設定する。図１０に示すように、このような特徴は、第１及び第２スリット１００２ａ，１００２ｂのセットと第１及び第２ホール１００４ａ，１００４ｂのセットを含む。ホール１００４ａ，１００４ｂとスリット１００２ａ，１００２ｂのセットは、ノイズの異なる周波数範囲に対応し、異なる方式で残響を提供するよう設計されている。図１０に示していないが、壁１００２ａ，１００２ｂに付加的な特徴を加え、好ましい残響を生成するよう共鳴させることができる。
【００５４】
したがって、壁アセンブリ１００２は、特別に設計された基本共鳴周波数を有する音共振器の方式により製造される。上記のように、任意の適切な材料は、壁１００２ａ，１００２ｂを構成するために用いられてもよい。例えば、ガラスは、本質的に良好な共振器であるため、特定の実施形態は様々な共振調和音を使用することができ、これは基本周波数の整数倍である。素材に関わらず、特徴を介して入力音を調整することは、迷惑にならないようにしたり及び／又は理解できないようにするよう、音声とノイズの周波数範囲を混乱させるのに役立つ。例えば、音声などを扱うとき、子音に関する周波数範囲をターゲットにしてもよい。さらに、このような壁アセンブリは、選択的なノイズ妨害のために設計されているため、特定の実施形態で壁アセンブリ内に薄いガラスと、長く持続できる剛性のあるジョイントを使用できる。このような構造は、有利には、全体設計をさらに強くしたものに製造できる。ガラスの使用時に、高い公差は漏れなどを避けることによって、音共鳴特性の有効性を最大にするために役立つ。
【００５５】
本明細書で記述される壁は、部分壁、例えば、分離された領域の間に開放空間を残した壁であってもよい。
上記で記述される及び／又は他の壁と壁アセンブリを製造する方法についても、本明細書で考慮される。本明細書で記述される例示的な能動的な手法のために、このような方法は、例えば、壁を立てるステップ、サウンドマスキング回路にエアポンプとマイクロフォンを接続するステップなどを含み得る。サウンドマスキング回路のための形成ステップ（例えば、１つ以上の関心周波数範囲の指定、いつ／どのようにエアポンプを作動するかなど）についても考慮される。例えば、マイクロフォン及び／又は（スピーカーの吊り下げ（ｈａｎｇｉｎｇ）を含む）エアポンプなどに関連して取付け動作が用いられる。ＨＶＡＣシステム及び／又は同様のものなどとの統合も考慮される。例えば、本明細書で記述される例示的な受動的手法の例では、このような方法は、例えば、壁を立てるステップ、内部に残響誘導要素を形成するステップ、及び／又は残響誘導要素を固定するステップを含んでもよい。
【００５６】
同様の方法により、既存の壁及び／又は壁アセンブリを改良する方法も考慮され、同一の又は類似のステップを含んでもよい。改良キット（Ｒｅｔｒｏｆｉｔ  ｋｉｔｓ）も本明細書で考慮される。
【００５７】
特定の実施形態において、音響壁及び音響壁アセンブリに関連して説明されている。このような音響壁及び音響壁アセンブリは、知覚される音声パターンを変更するか、隣接領域から放出される特定の刺激的な音構成要素を不明瞭にする様々な適用で使用できるものと理解される。例示的な適用として、例えば、住宅、オフィス及び／又は他の構造のための音響壁アセンブリ及び外部音響壁、車両のための外部要素（例えば、ドア、サンルーフなど）、家屋内の部屋、ショッピングモール、空港、コンビニエンスストア、医師のオフィスなどで待機エリアを定義するオフィス内の部屋などのための音響壁アセンブリ及び音響壁を含む。サウンドマスキングは、音響壁アセンブリ及び音響壁などを収容する構造体の境界の外側で、周辺エリアが別の部屋であるか否かに関わらず、周辺エリアから発するノイズのために設けられる。同様に、サウンドマスキングは、この種又は他の種の周辺エリアへの進入からノイズを防止するように設けられる。
【００５８】
音響壁及び音響壁アセンブリは、異なる例示において、完全的高さ（ｆｕｌｌ−ｈｅｉｇｈｔ）又は部分的高さ（ｐａｒｔｉａｌ−ｈｅｉｇｈｔ）であってもよい。
特定の例示的な実施形態において、音響壁アセンブリが提供される。内壁及び外壁は互いに実質的に平行であり、その間にギャップが有するよう定義されている。エアポンプは設けられる。サウンドマスキング回路は、予め決定された周波数範囲内の音波を検出し、予め決定された周波数範囲内の音波を検出することに応答して、検出された音が外壁の外側から内壁の内側に通過するときに検出された音を能動的にマスキングするよう、ギャップ内に空気をポンプするエアポンプを制御するように構成される。
【００５９】
特定の例示的な実施形態において、前の段落の特徴に加え、内壁及び外壁はガラス壁であってもよい。
特定の例示的な実施形態において、前の２つの段落のうち１つの特徴に加え、エアポンプはギャップ内に配置されてもよい。
【００６０】
特定の例示的な実施形態において、前の３つの段落のうちいずれか１つの特徴に加え、エアポンプはスピーカーであってもよい。
特定の例示的な実施形態において、前の４つの段落のいずれか１つの特徴に加え、マイクロフォンはギャップ内に配置されてもよい。
【００６１】
特定の例示的な実施形態において、前の５つの段落のいずれか１つの特徴に加え、能動的な音響マスキングは逆マスキングを用いて行われてもよい。
特定の例示的な実施形態において、前の６つの段落のいずれか１つの特徴に加え、能動的なマスキングは残響を用いて行われてもよい。
【００６２】
特定の例示的な実施形態において、前の７つの段落のいずれか１つの特徴に加え、サウンドマスキング回路は、（ａ）アルゴリズムにより予め決定された周波数範囲内の検出された音波を処理し、（ｂ）アルゴリズムからの算出による検出された音波を能動的にマスキングするようにギャップ内に空気をポンプするエアポンプを制御するように構成されるコントローラを含んでもよい。
【００６３】
特定の例示的な実施形態において、前の８つの段落のいずれか１つの特徴に加え、アルゴリズムは、標準コンボリューション、強化されたコンボリューション、逆残響、及び遅延制御された残響で構成する群から選択される残響アルゴリズムであってもよい。
【００６４】
特定の例示的な実施形態において、前の９つの段落のいずれか１つの特徴に加え、予め決定された周波数範囲は、妨害、不快さ、音響心理学的に妨害されるよう決定されるノイズ及び／又は音声に対応してもよい。
【００６５】
特定の例示的な実施形態において、前の１０個の段落のいずれか１つの特徴に加え、第１マイクロフォンはギャップ内に埋め込まれてもよく、第２マイクロフォンは音響壁アセンブリの外側主表面上に設けられてもよい。
【００６６】
特定の例示的な実施形態において、前の１１個の段落のいずれか１つの特徴に加え、少なくとも１つの開口は、例えば、音響壁アセンブリの内部及び外部主表面に対して方向性のあるように発生した残響を引き起こす少なくとも１つの開口を備えるように、内壁及び／又は外壁内に形成されてもよい。
【００６７】
特定の例示的な実施形態において、前の１２個の段落のいずれか１つの特徴に加え、内壁及び外壁は部分的な高さの壁であってもよい。
特定の例示的な実施形態において、前の１３個の段落のいずれか１つの特徴に加え、予め決定された周波数範囲は２８〜３２００Ｈｚであってもよい。
【００６８】
特定の例示的な実施形態において、前の１４個の段落のいずれか１つの特徴に加え、壁は１２５Ｈｚで０．０３〜０．３、２５０Ｈｚで０．０３〜０．６、５００Ｈｚで０．０３〜０．６；１０００Ｈｚで０．０３〜０．９、２０００Ｈｚで０．０２〜０．９、及び４０００Ｈｚで０．０２〜０．８の範囲である吸音係数を有してもよい。
【００６９】
特定の例示的な実施形態において、音響壁アセンブリが提供される。内壁及び外壁は、その間に定義されるギャップを有するよう互いに実質的に平行である。レシーバーは音に敏感である。ポンプは、ギャップ内の圧力波動を発生させるように制御できる。制御回路は、ポンプとレシーバーに動作するように結合され、制御回路は、予め決定された周波数範囲内のノイズを、残響効果を介して妨害したり、さもなければ、音響壁アセンブリを通過するよう圧力波動を選択的に発生させるポンプを制御してレシーバーから受信される信号を処理するように構成される。
【００７０】
特定の例示的な実施形態において、前の段落の特徴に加え、内壁及び外壁はガラスを含んでもよい。
特定の例示的な実施形態において、２つ前の段落のうち１つの特徴に加え、予め決定された周波数範囲は２８〜３２００Ｈｚであってもよい。
【００７１】
例示的な実施形態において、ノイズマスキング特性を有する音響壁アセンブリを提供するよう、壁を改良するためのキットが設けられる。壁は、内部及び外部直立部材を含む。キットは、音に敏感なレシーバー、内部及び外部直立部材の間に圧力波動を発生させるように制御可能なポンプ、及びポンプとレシーバーに動作するように接続可能な制御回路を含み、制御回路は、予め決定された周波数範囲内のノイズを、残響効果を介して妨害したり、さもなければ、壁を通過するように内部及び外部直立部材の間に圧力波動を選択的に発生させるポンプを制御してレシーバーで受信される信号を処理するように構成される。
【００７２】
特定の例示的な実施形態において、ノイズ妨害方法が提供される。壁は、内部及び外部直立部材を含む。予め決定された周波数範囲で音波は、サウンドマスキング回路を介して検出される。予め決定された周波数範囲内の音波の検出に応答して、エアポンプは、検出された音波が壁の外部直立部材の外側から壁の内部直立部材の内側に通過するときに検出された音波を能動的にマスキングするよう、内部及び外部直立部材の間に空気をポンプするサウンドマスキング回路を介して制御される。
【００７３】
特定の例示的な実施形態において、前の段落のうち１つの特徴に加え、エアポンプ及び／又はサウンドマスキング回路は、内部及び外部直立部材の間に定義されるギャップ内に埋め込まれてもよい。
【００７４】
特定の例示的な実施形態において、前の２つの段落のうち１つの特徴に加え、能動的な音響マスキングは逆マスキングを用いて行われてもよい。
特定の例示的な実施形態において、前の３つの段落のうち１つの特徴に加え、能動的なマスキングは残響を用いて行われてもよい。
【００７５】
特定の例示的な実施形態において、前の４つの段落のうち１つの特徴に加え、サウンドマスキング回路は、（ａ）アルゴリズムにより予め決定された周波数範囲内の検出された音波を処理し、（ｂ）アルゴリズムからの算出により検出された音波を能動的にマスキングする空気をポンプするよう、エアポンプを制御するように構成されるコントローラを含んでもよい。
【００７６】
特定の例示的な実施形態において、前の５つの段落のうち１つの特徴に加え、第１マイクロフォンは内部及び外部直立部材の間に位置し、第２マイクロフォンは内部及び外部直立部材のうち１つの外側主表面上に設けられてもよい。
【００７７】
特定の例示的な実施形態において、サウンドマスキング壁アセンブリの製造方法が提供される。壁は、内部及び外部直立部材を含む。音に敏感なレシーバーが提供される。内部及び外部直立部材の間で圧力波動を発生させるように制御可能なポンプが提供される。制御回路は、ポンプとレシーバーに動作するよう結合され、制御回路は、予め決定された周波数範囲内のノイズを、残響効果を介して妨害したり、さもなければ、壁を通過するよう内部及び外部直立部材の間の圧力波動を選択的に発生させるポンプを制御し、レシーバーから受信される信号を処理するように構成される。
【００７８】
本発明は、現在に最も実用的かつ好適な実施形態になるよう考慮されたものに関して記述したが、これは本発明が記述された実施形態を制限するためのものではないものと理解され、対照的に、添付された請求の範囲と思想内に含まれる同等な方式及び様々な修正を含むものとして意図される。
【図１】
2019512727.tif 000005
【図２】
2019512727.tif 000006
【図３】
2019512727.tif 000007
【図４Ａ】
2019512727.tif 000008
【図４Ｂ】
2019512727.tif 000009
【図５】
2019512727.tif 000010
【図６Ａ】
2019512727.tif 000011
【図６Ｂ】
2019512727.tif 000012
【図７】
2019512727.tif 000013
【図８Ａ】
2019512727.tif 000014
【図８Ｂ】
2019512727.tif 000015
【図９】
2019512727.tif 000016
【図１０】
2019512727.tif 000017
【国際調査報告】
2019512727.tif 000018
2019512727.tif 000019
2019512727.tif 000020